(57)【要約】【課題】装置全体としてＩＣカードの有り高を効率よく確実に管理できるようにする。【解決手段】このカード発行装置は、ＩＣカード１を発行あるいは回収するためのカード発行口２０ａを有する筐体２０と、筐体２０内に着脱自在に装着され、発行対象のＩＣカード１が収容されたカセット部２５と、筐体２０内に着脱自在に装着され、発行対象外のＩＣカード１を格納するカード回収庫３１と、カセット部２５に収容されたＩＣカードをカード発行口２０ａまで搬送するための搬送経路に配置されたセンサ、スイッチ等の検知部２４と、搬送経路上を搬送されるＩＣカード１よりシリアル番号を読み取るカード処理部２９と、筐体開閉前後においてＩＣカード１より読み取られたシリアル番号とカセット部２５及びカード回収庫３１のＩＣカード１の数量、シリアル番号から筐体２０内部のＩＣカード１の有り高を管理する制御部２１とを備える。【選択図】図１
2005339407.tif 000002
【特許請求の範囲】
【請求項１】
カード状記憶媒体を発行あるいは回収するための開口を有する筐体と、
前記筐体内に着脱自在に装着され、発行対象のカード状記憶媒体が収容された発行対象カード状記憶媒体収容庫と、
前記筐体内に着脱自在に装着され、発行対象外のカード状記憶媒体を収容する発行対象外カード状記憶媒体収容庫と、
前記発行対象カード状記憶媒体収容庫に収容されたカード状記憶媒体を、所定の搬送経路を通じて前記開口あるいは発行対象外カード状記憶媒体収容庫へ搬送する搬送部と、
前記筐体の開閉部、各庫及び搬送経路に配置され、前記筐体の開閉及びカード状記憶媒体の所在を検知する検知部と、
前記搬送経路に配置され、搬送経路を搬送されるカード状記憶媒体に付与されているシリアル番号を読み取るカード処理部と、
前記筐体が開放された後に閉じられたことが前記検知部により検知され、前記筐体外部から開口に挿入されたカード状記憶媒体のシリアル番号を前記カード処理部に読み取らせて前記発行対象外カード状記憶媒体収容庫へ回収する手段と、
前記発行対象カード状記憶媒体収容庫、前記発行対象外カード状記憶媒体収容庫それぞれに格納されているカード状記憶媒体のシリアル番号を収容庫別に記憶する記憶手段と、
前記カード処理部により読み取られた、前記筐体外から挿入されたカード状記憶媒体のシリアル番号と前記記憶手段に記憶されている各収容庫のカード状記憶媒体のシリアル番号とに基づいて装置全体としてカード状記憶媒体の有り高を管理する有り高管理手段と
を具備したことを特徴とするカード発行装置。
【請求項２】
カード状記憶媒体を発行あるいは回収するための開口を有する筐体と、
前記筐体内に着脱自在に装着され、発行対象のカード状記憶媒体が収容された発行対象カード状記憶媒体収容庫と、
前記筐体内に着脱自在に装着され、発行対象外のカード状記憶媒体を収容する発行対象外カード状記憶媒体収容庫と、
前記発行対象カード状記憶媒体収容庫に収容されたカード状記憶媒体を、所定の搬送経路を通じて前記開口あるいは発行対象外カード状記憶媒体収容部へ搬送する搬送部と、
前記筐体の開閉部及び搬送経路に配置され、前記筐体の開閉及びカード状記憶媒体の所在を検知する検知部と、
前記搬送経路に配置され、前記カード状記憶媒体に付与されているシリアル番号を読み取るカード処理部と、
前記筐体が開放された後に閉じられたことが前記検知部により検知されてから、前記筐体外部から開口に挿入されたカード状記憶媒体のシリアル番号を、前記カード処理部に読み取らせて前記発行対象外カード状記憶媒体収容庫へ回収する手段と、
前記カード処理部により読み取られたカード状記憶媒体のシリアル番号と前記検知部により検知されたカード状記憶媒体の所在の検知情報とに基づき発行対象カード状記憶媒体収容庫と発行対象外カード状記憶媒体収容庫とに収容されたカード状記憶媒体のそれぞれの数量を計数する手段と、
計数された前記それぞれの収容庫のカード状記憶媒体の数量と、前記カード処理部により読み取られたシリアル番号とを各収容庫別に記憶する記憶手段と、
前記筐体外部からのカード状記憶媒体の挿入が終了した場合、前記発行対象カード状記憶媒体収容庫より新たなカード状記憶媒体を繰り出し前記カード処理部に読み取らせたカード状記憶媒体のシリアル番号と前記記憶手段に記憶されている各収容庫におけるカード状記憶媒体の数量及びシリアル番号とを基に筐体内におけるカード状記憶媒体の有り高の正否を判定することで装置全体としてのカード状記憶媒体の有り高を管理する有り高管理手段と
を具備したことを特徴とするカード発行装置。
【請求項３】
請求項１，２いずれか記載のカード発行装置において、
前記有り高管理手段は、
前記筐体に、新規の発行対象カード状記憶媒体収容庫がセットされた場合、前記発行対象カード状記憶媒体収容庫より所定のカード状記憶媒体を繰り出し前記カード処理部に読み取らせたカード状記憶媒体の情報を基に初期セットアップを行う手段と、
前記初期セットアップ完了後に、前記所定のカード状記憶媒体の情報を消去する手段と、
情報が消去されたカード状記憶媒体を発行対象カードとして待機させる手段と
を具備したことを特徴とするカード発行装置。
【請求項４】
請求項１，２いずれか記載のカード発行装置において、
前記有り高管理手段は、
前記発行対象カード状記憶媒体収容庫より新たなカード状記憶媒体を繰り出し前記カード処理部に読み取らせたカード状記憶媒体のシリアル番号と前記記憶手段に記憶されている各収容庫におけるカード状記憶媒体のシリアル番号との順序のずれの有無をチェックすることで、カード状記憶媒体の有り高の正否を判定する手段を具備したことを特徴とするカード発行装置。
【発明の詳細な説明】
【技術分野】
【０００１】
本発明は、例えばＩＣカード等のカード状記憶媒体を発行するカード発行装置に関する。
【背景技術】
【０００２】
従来から、プリペイド方式の磁気カードなどは、自動販売機で販売されていたが、最近では、ＩＣカードも自動販売機で販売することが行われつつある。
【０００３】
ＩＣカードの自動販売機である従来のカード発行装置は、未発行媒体をセットする未発行媒体収納部が本体に固定されているか、もしくは収納部を取り外して、その場で未使用媒体をセットする方式がとられていた。
【０００４】
未使用媒体、つまり処理が一度も行われていないＩＣカードは、盗難にあった場合に、磁気情報やＩＣチップ等への情報を書き込まない限り利用できないと考えられていたため、カード発行会社内に設置されるようなカード発行装置においては、ＩＣカードの有り高を管理する必要性は比較的薄かった。
【０００５】
一方、販売目的のＩＣカードを収容するカード発行機は、内部でＩＣカードが詰まる不具合、つまりジャムが発生して故障することもあり、カード発行機の内部を開放可能にせざるを得ず、このため、カード発行機からＩＣカードが紛失することもあり、偽造カードの材料として用いられること等を容認せざるを得なかった。
【０００６】
このようなＩＣカードの紛失を防止するためには、カード発行機の保守作業およびカード交換作業等を全て限定した保守担当者もしくは店頭係員が行う必要が生じ、カード製造会社あるいはカード発行会社がカード発行機のカード補充、交換等の保守作業を他の業者へ委託することができなかった。
【０００７】
この種の技術の先行技術としては、例えば顧客に現金の受け渡しを行う現金自動取扱装置において、顧客が操作中か否かを監視し、金庫より現金が出る状態にあるかまたは金庫に入る状態にあるのかを判断し、金庫を取り外し可能か否かを装置取扱者へ応答する技術が開示されている(例えば特許文献１参照)。
【特許文献１】特許２７７３４３５号公報
【発明の開示】
【発明が解決しようとする課題】
【０００８】
しかしながら、従来の技術の場合、顧客が操作中か否かを単に監視して装置取扱者へ応答するだけであり、現金自体の有り高を管理するものではなく、また、現金を扱う装置の場合、金融機関の係員が自ら保守操作する必然性があり、補充や交換等の保守作業を外部委託する目的の装置には適用できないという問題があった。
【０００９】
本発明はこのような課題を解決するためになされたもので、カード状記憶媒体の有り高を効率よく確実に管理できるカード発行装置を提供することを目的としている。
【課題を解決するための手段】
【００１０】
上記した課題を解決するために、本発明のカード発行装置は、カード状記憶媒体を発行あるいは回収するための開口を有する筐体と、前記筐体内に着脱自在に装着され、発行対象のカード状記憶媒体が収容された発行対象カード状記憶媒体収容庫と、前記筐体内に着脱自在に装着され、発行対象外のカード状記憶媒体を収容する発行対象外カード状記憶媒体収容庫と、前記発行対象カード状記憶媒体収容庫に収容されたカード状記憶媒体を、所定の搬送経路を通じて前記開口あるいは発行対象外カード状記憶媒体収容庫へ搬送する搬送部と、前記筐体の開閉部、各庫及び搬送経路に配置され、前記筐体の開閉及びカード状記憶媒体の所在を検知する検知部と、前記搬送経路に配置され、搬送経路を搬送されるカード状記憶媒体に付与されているシリアル番号を読み取るカード処理部と、前記筐体が開放された後に閉じられたことが前記検知手段により検知され、前記筐体外部から開口に挿入されたカード状記憶媒体のシリアル番号を前記カード処理部に読み取らせて前記発行対象外カード状記憶媒体収容庫へ回収する手段と、前記発行対象カード状記憶媒体収容庫、前記発行対象外カード状記憶媒体収容庫それぞれに格納されているカード状記憶媒体のシリアル番号を収容庫別に記憶する記憶手段と、前記カード処理部により読み取られた、前記筐体外から挿入されたカード状記憶媒体のシリアル番号と前記記憶手段に記憶されている各収容庫のカード状記憶媒体のシリアル番号とに基づいて装置全体としてカード状記憶媒体の有り高を管理する有り高管理手段とを具備したことを特徴とする。
【００１１】
本発明のカード発行装置は、カード状記憶媒体を発行あるいは回収するための開口を有する筐体と、前記筐体内に着脱自在に装着され、発行対象のカード状記憶媒体が収容された発行対象カード状記憶媒体収容庫と、前記筐体内に着脱自在に装着され、発行対象外のカード状記憶媒体を収容する発行対象外カード状記憶媒体収容庫と、前記発行対象カード状記憶媒体収容庫に収容されたカード状記憶媒体を、所定の搬送経路を通じて前記開口あるいは発行対象外カード状記憶媒体収容部へ搬送する搬送部と、前記筐体の開閉部及び搬送経路に配置され、前記筐体の開閉及びカード状記憶媒体の所在を検知する検知部と、前記搬送経路に配置され、前記カード状記憶媒体に付与されているシリアル番号を読み取るカード処理部と、前記筐体が開放された後に閉じられたことが前記検知手段により検知されてから、前記筐体外部から開口に挿入されたカード状記憶媒体のシリアル番号を、前記カード処理部に読み取らせて前記発行対象外カード状記憶媒体収容庫へ回収する手段と、前記カード処理部により読み取られたカード状記憶媒体のシリアル番号と前記検知部により検知されたカード状記憶媒体の所在の検知情報とに基づき発行対象カード状記憶媒体収容庫と発行対象外カード状記憶媒体収容庫とに収容されたカード状記憶媒体のそれぞれの数量を計数する手段と、計数された前記それぞれの収容庫のカード状記憶媒体の数量と、前記カード処理部により読み取られたシリアル番号とを各収容庫別に記憶する記憶手段と、前記筐体外部からのカード状記憶媒体の挿入が終了した場合、前記発行対象カード状記憶媒体収容庫より新たなカード状記憶媒体を繰り出し前記カード処理部に読み取らせたカード状記憶媒体のシリアル番号と前記記憶手段に記憶されている各収容庫におけるカード状記憶媒体の数量及びシリアル番号とを基に筐体内におけるカード状記憶媒体の有り高の正否を判定することで装置全体としてのカード状記憶媒体の有り高を管理する有り高管理手段とを具備したことを特徴とする。
【００１２】
上記カード発行装置において、有り高管理手段は、筐体に、新規の発行対象カード状記憶媒体収容庫がセットされた場合、発行対象カード状記憶媒体収容庫より所定のカード状記憶媒体を繰り出し前記カード処理部に読み取らせたカード状記憶媒体の情報を基に初期セットアップを行う手段と、前記初期セットアップ完了後に、前記所定のカード状記憶媒体の情報を消去する手段と、情報が消去されたカード状記憶媒体を発行対象カードとして待機させる手段とを具備する。
上記カード発行装置において、有り高管理手段は、発行対象カード状記憶媒体収容庫より新たなカード状記憶媒体を繰り出し前記カード処理部に読み取らせたカード状記憶媒体のシリアル番号と前記記憶手段に記憶されている各収容庫におけるカード状記憶媒体のシリアル番号との順序のずれの有無をチェックすることで、カード状記憶媒体の有り高の正否を判定する手段を具備する。
【００１３】
この発明では、筐体が開放された後に閉じられたことが検知部により検知されてから、筐体外部から開口に挿入されたカード状記憶媒体のシリアル番号を、カード処理部に読み取らせて発行対象外カード状記憶媒体収容庫へ回収する。そして、カード処理部により読み取られたカード状記憶媒体のシリアル番号と検知部により検知されたカード状記憶媒体の所在の検知情報とに基づき発行対象カード状記憶媒体収容庫と発行対象外カード状記憶媒体収容庫とに収容されたカード状記憶媒体のそれぞれの数量を計数する手段と、計数されたそれぞれの収容庫のカード状記憶媒体の数量と、カード処理部により読み取られたシリアル番号とを各収容庫別に記憶する記憶手段と、筐体外部からのカード状記憶媒体の挿入が終了した場合、発行対象カード状記憶媒体収容庫より新たなカード状記憶媒体を繰り出し前記カード処理部に読み取らせたカード状記憶媒体のシリアル番号と前記記憶手段に記憶されている各収容庫におけるカード状記憶媒体の数量及びシリアル番号とを基に筐体内におけるカード状記憶媒体の有り高の正否を判定することで装置全体としてのカード状記憶媒体の有り高を管理する。
【発明の効果】
【００１４】
以上説明したように本発明によれば、カード状記憶媒体の有り高を効率よく確実に管理できる。
【発明を実施するための最良の形態】
【００１５】
以下、本発明の実施の形態を図面を参照して詳細に説明する。図１は本発明に係る一つの実施の形態のカード発行装置の構成を示す側面図、図２は図１のカード発行装置の制御系の構成を示す図である。
図１，２に示すように、このカード発行装置は、カード発行口２０ａを備えた装置本体（機体）としての筐体２０と、この筐体２０の上面に配置された表示パネルにグラフィックユーザインターフェース（ＧＵＩ）で生成された各種操作ボタン類と操作案内とを表示すると共に、操作案内に従い利用者がカード状記憶媒体としてのＩＣカードの発行のための操作を行った情報を制御部２１に入力するユーザインターフェース（ＵＩ）としての表示操作部２３と、未発行の多数のＩＣカード１をそれぞれのカードに付与されたシリアル番号の順に多段に重ねて収納する発行対象カード状記憶媒体収容庫としてのカセット部２５と、このカセット部２５から所定の搬送経路を通じてＩＣカード１を各部（カード発行口２０ａ、発行対象外ＩＣカード収容庫としてのカード回収庫３１、振分部３０、保留庫３２等）へ搬送する搬送部２６と、搬送経路上に所定の間隔で配置されたセンサやスイッチ等の検知部２４と、発行対象のＩＣカード１の表面あるいは裏面に印刷を行うプリンタ部２７と、カード表面に形成された磁気情報記録部である磁気ストライプやカード内部のＩＣチップのメモリに情報を書き込み、読み出し及び消去するカード処理部２９と、情報の書き込みが失敗したＩＣカード１や利用者が取り忘れたＩＣカード１を収納および蓄積する発行対象外カード状記憶媒体収容庫としてのカード回収庫３１と、運用管理センタの上位装置であるホストコンピュータとの通信やログの送受信を行う通信部２８と、搬送経路上に設けられた振分部３０と、上記各部を制御してＩＣカード１の発行処理、回収処理等の制御動作を行う制御部２１と、制御部２１が処理を行うためのデータの記憶領域、処理結果のログの記憶領域、受信データおよび送信データの記憶領域となるメモリ２２等から構成されている。搬送経路は、ベルトやローラ等で形成されている。
なお、このカード発行装置は、表示操作部２３の他の情報入力手段として、親カードの読み取りを行うカードリーダやDebit PINパッド等を接続、搭載することもできる。
【００１６】
センサやスイッチ等の検知部２４は、ＩＣカード１の長手方向の長さよりも短い間隔で搬送経路上に配置されており、カードジャム等の際に、搬送経路上に詰まっているＩＣカード１とその位置が制御部２１で確実に検知できる。検知部２４の具体的な位置としは、カード発行口２０ａ付近、筐体２０の扉の開閉部、保留庫３２の位置、カード回収庫３１の入口、内部、カード処理部２９の入口、内部、プリンタ部２７の入口、内部、カセット部２５のＩＣカード繰り出し部分等に設けられている。検知部２４として用いるセンサとしては、例えば赤外線センサ等の、搬送経路上を搬送されるＩＣカード１によって光が遮光されことで反応する明暗検知手段等である。
【００１７】
カセット部２５は、鍵や封印により権限を持つ者以外には、開閉して未発行のＩＣカード１の出し入れができない、もしくはＩＣカード１の出し入れを行ったことが明示的に判別できるものとする。
【００１８】
また、カセット部２５を筐体２０内の所定位置に取り付け取り外す、つまり脱着する際は、各部に配置されたセンサやスイッチ等の検知部２４によってその状況が制御部２１に通知されるので、制御部２１は、センサやスイッチ等の検知部２４からの通知の入力によりカセット部２５の脱着状況を監視する。制御部２１は、監視によって不用意なカセット部２５の抜き取りを許可しない。
【００１９】
カセット部２５の下部にはＩＣカード１の繰り出し部が設けられている。この繰り出し部には、繰り出しローラ２５ａが設けられている。例えばカバー等によって保護されており、筐体２０にカセット部２５をセットしない限り、カセット部２５に収容されているＩＣカード１を取り出すことができない構造とされている。
【００２０】
プリンタ部２７は、例えば昇華型プリンタヘッド等が設けられており、搬送部２６によって搬送経路上を搬送されてきたＩＣカード１の表面に指定された文字や画像を印刷する。プリンタ部２７は、カセット部２５から繰り出されたＩＣカード１を一時保留する保留庫を有している。
【００２１】
カード処理部２９は、ＩＣカード１のＩＣチップに対して無線通信（非接触）あるいは接点の当接（接触）により情報の操作を行う消去ヘッド／書き込みヘッド、もしくは磁気カードの場合は、磁気書き込みヘッド／消去ヘッドあるいはその両方を有しており、未使用のＩＣカード１のＩＣチップの情報や磁気情報を書き込み／消去する。
【００２２】
カード回収庫３１は、ＩＣカード１を機械搬送により挿入するための挿入口と、ＩＣカード１を収納するスペースとして収容部と、この収容部に収納したＩＣカード１を手で取り出すための扉部とを備える。扉は、鍵や封印により権限を持つ者以外が開閉しＩＣカードを取り出すことができない、もしくは開閉を行ったことが明示的に分るよう鍵あるいは封印手段等が取り付けられている。また、カード回収庫３１を筐体２０の内部に脱着する場合、センサやスイッチ等の検知部２４によって検知される検知信号によって制御部２１にて監視されるので、制御部２１は、不用意な抜き取りを許可しない。
振分部３０は、制御部２１により制御されて、カセット部２５から繰り出されたＩＣカード１をカード処理部２９の側の搬送路とカード回収部３１側の搬送路のいずれかへ振り分ける。また、カード発行口２０ａから挿入されたＩＣカード１をプリンタ部２７の保留庫３２へとカード回収庫３１へと振り分ける。
【００２３】
制御部２１は、機体全体の制御を行う制御基板を有し、さらに各部の動作を制御するＩ／Ｆ部とログ情報などを記録するハードディスク装置や半導体などの記録部（メモリ）を併せ持つ。各部から制御基板に送信されてくる機体情報や取引状況やＩＣカード１の読み取り結果や表示操作部２３からの入力情報等のデータは、制御部２１内で所定の形式に変換し、通信部２８より運用管理センタのホストコンピュータへ送信される。また、制御部２１は、ＩＣカード１への書き込み用のデータや運用管理センタのホストコンピュータから機体への指示コマンド等が受信されると、指示コマンド等を制御基板で処理した後、Ｉ／Ｆ部を通じて各部へ送る。
【００２４】
表示操作部２３は、液晶画面や入力を行うためのタッチパネルやＧＵＩのキー等を有しており、制御部２１により送信されたガイダンスにより利用者がＩＣカード１の発行に必要な情報を入力し、この情報を制御部２１へ送信する。
筐体２０は、保守用の扉等を備えており、内部に上記各部を収容し、一般利用者が不用意に内部の機構に触れることがないよう鍵等により扉等を施錠し保護している。
【００２５】
運用管理者は、未発行のＩＣカード１の所有権を持ち、機械保守作業者（保守担当者）や店頭係員は、カセット部２５やカード回収庫３１を機体内から取り外すことだけを行える。未使用のＩＣカード１は、運用管理者のみがカセット部２５へ装填することができる。カード回収庫３１からＩＣカード１を取り出すことについても、運用管理者のみが行える。
【００２６】
すなわち、このカード発行装置は、ＩＣカード１を発行あるいは回収するための開口としてのカード発行口２０ａを有する筐体２０と、筐体２０内に着脱自在に装着され、発行対象のＩＣカード１が収容されたカセット部２５と、筐体２０内に着脱自在に装着され、発行対象外のＩＣカード１を収容するカード回収庫３１と、カセット部２５に収容されたＩＣカード１をカード発行口２０ａまで搬送するための搬送経路及び筐体２０の扉の開閉部、各庫の入口、内部に配置されたセンサ、スイッチ等の検知部２４と、搬送経路上を搬送されるＩＣカード１よりシリアル番号を読み取るカード処理部２９と、筐体２０の扉の開閉が検知される前と後においてＩＣカード１より読み取られたシリアル番号と、カセット部２５及びカード回収庫３１それぞれにおいて検知部２４により検知され計数したＩＣカード１の数量、シリアル番号を各庫別にメモリ２２に設けた有り高管理テーブルに記憶し、有り高管理テーブルの内容を更新することで装置全体としてＩＣカード１の有り高を管理する有り高管理機能を有する制御部２１とを備える。
【００２７】
制御部２１は、カード処理部２９により読み取られたシリアル番号と、カセット部２５及びカード回収庫３１の位置に配置された検知部２４により検知されたＩＣカード１の所在の検知情報とに基づきカセット部２５及びカード回収庫３１に格納されたＩＣカード１の数量（実数）を計数する手段として機能する。
制御部２１は、計数したカセット部２５、カード回収庫３１それぞれのＩＣカード１の数量（実数）、シリアル番号をメモリ２２に記憶する手段として機能する。
【００２８】
保守作業等の際に、保守担当者が筐体２０の扉を開放して作業行い閉じた後に、装置本体に電源を投入、あるいは再起動させる等の起動操作を行い、装置本体を起動させたときに、筐体２０外部からカード発行口２０ａにＩＣカード１が挿入されたことが検知部２４により検知された場合、制御部２１は、カード発行口２０ａのＩＣカード１を搬送部２６を制御してカード処理部２９へ搬送し、カード処理部２９によりシリアル番号が読み取られたＩＣカード１をカード回収庫３１へ回収する手段として機能する。
【００２９】
制御部２１は、装置本体起動後にカセット部２５より新たにＩＣカード１を繰り出してカード処理部２９へ搬送（供給）し、カード処理部２９により読み取られたＩＣカード１のシリアル番号と、メモリ２２に記憶されていたカセット部２５、カード回収庫３１それぞれのＩＣカード１の数量及びシリアル番号とを基に筐体２０内におけるＩＣカード１の有り高の正否を判定することで有り高を管理する手段として機能する。
【００３０】
ここで、図３を参照して運用管理センタでＩＣカード１をカセット部２５にセットし保守会社を通じて店舗へ搬送し、店舗において、カード発行装置にカセット部２５を装着して、カード発行装置が初期セットアップ動作を行いＩＣカード１を発行可能になるまでの手順について説明する。
運用管理者は、未使用のＩＣカード１の枚数を数えてカセット部２５内に装填するＩＣカード１の枚数を決定する（Ｓ１０１）。カセット部２５内に装填する、あるいは、ＩＣカード１を数える際に、最寄のカード処理装置等でＩＣカード１のＩＣチップに一意にＩＣカード１の順番を把握することができる連続番号、つまりシリアル番号とカセット番号等を記憶あるいは記録することにより（Ｓ１０２）、さらに確実に枚数の確認を行うことができる。なお、カード状記憶媒体が例えば磁気カードの場合は、磁気記憶部である磁気ストライプに記憶する。
また、カセット部２５内の一番最初に繰り出される位置に配置されたＩＣカード１、この例では、一番下のものであり、このＩＣカード１を状態記録カードという。この状態記録カードに、装填を行った担当者の情報や装填した枚数などのカセット初期情報を記録する（Ｓ１０３）。さらにＩＣカード１を数える際に連番を記録した場合は、この情報についても記録する。カセット初期情報は、カード発行装置を保守モードにした上で、該当ＩＣカード１をカード発行口２０ａより挿入し、カード処理部２９で書き込む。
【００３１】
その後、運用管理者は、カセット部２５にすべてのＩＣカード１を装填した時点で（Ｓ１０４）、カセット部２５に施錠または封印を行い（Ｓ１０５）、他者がカセット部２５よりＩＣカード１を取り出せないように封印（封止）する。この封印作業により、カセット部２５の内部媒体の有り高は、カセット部２５内に保存されたＩＣカード１により把握を行うことができ、また封印を解除したり、あるいは鍵を開けない限り、カセット部２５内のＩＣカード１の有り高は保証される。
【００３２】
封印あるいは施錠されたカセット部２５は、運用管理センタから、カード発行装置の保守を委託された保守会社へ移送される。つまり、カセット部２５は、各地に点在する機械の保守メンテナンスを行う保守担当者あるいは保守管理拠点、あるいは店舗係員へ向けて配送（移送）される（Ｓ１０６、Ｓ１０７）。
そして、各地に点在する保守対象のカード発行装置より未発行のＩＣカード１のエンドやニアエンドになったときに発生される補充要求情報が運用管理センタのホストコンピュータへ送信された場合、もしくは現地係員からＩＣカード１が品切れになったとの連絡が入った場合に、保守拠点あるいは店舗係員が保管している未使用のカセット部２５を筐体２０内へ取り付けるため、ＩＣカード１を補充すべきカード発行装置の設置場所へ出向き、筐体２０内へセットする（Ｓ１０８）。
【００３３】
カセット部２５は、施錠あるいは封印されているため、送付先の担当者はＩＣカード１を抜き取ることができない。これにより輸送や保管の段階ではカセット部２５からＩＣカード１の出し入れができないため、カセット部２５内のＩＣカード１の有り高は保証されている。
【００３４】
カセット部２５を、店舗のカード発行装置の筐体２０内にセットすると、制御部２１は、カセット部より初めのＩＣカード１、つまり状態記録カードを取り出し（Ｓ１０９）、搬送経路を搬送し、ＩＣカード１をカード処理部２９の位置へ移動させる。
カード処理部２９は、状態記録カードの情報を読み出し（Ｓ１１０）、制御部２１へ送る。状態記録カードの情報は、例えばカセット部２５に格納されているＩＣカード１のシリアル番号、収納日などの情報である。
制御部２１は、カード処理部２９から送られてきた状態記録カードの情報、つまり読み出し結果を通信部２８より運用管理センタのホストコンピュータへ送信する（Ｓ１１１）。
読み出し結果を送信した後、制御部２１は、カード処理部２９に対して状態記録カードの内容（初期情報）を消去させて、初期情報を消去した未使用のＩＣカード１とし、それを搬送経路上の待機位置である振分部３０か、あるいは保留庫３２の位置へ搬送し（Ｓ１１２）、新規発行に向けて待機させる。
【００３５】
ここまでの初期セットアップ動作が正常に終了した場合、制御部２１は、初期セットアップの処理結果を、プリンタ部２７でレシート等に印字する印刷処理を行う（Ｓ１１３）。
【００３６】
続いて、このＩＣカード発行装置の筐体２０へカセット部２５をセットする手順を説明する。
機械内のＩＣカード１の有り高は、カセット部２５内にある未使用のＩＣカード１の枚数と、カセット部２５以外の機体内の搬送経路上のＩＣカード１の枚数と、カード回収庫３１内のカード枚数との合計となる。
【００３７】
筐体２０へカセット部２５を装着する際には、カード発行装置の動作モードを変更するモード切替を行う。このために、カード発行装置内には、制御部２１の動作モードを切替るための機構、つまりモード切替機構が備えられている。モード切替機構は、例えばモード切替スイッチ、モード切替キー、タッチパネル等からなり、タッチパネルからの入力によってモード切替が行われる。
【００３８】
モード切替機構によってカード発行装置の制御部２１を媒体補充モードへ移行させる。制御部２１は、媒体補充モードへ切り替えられた時点で、筐体２０の前扉を開錠する。保守担当者が扉を開き、空になったカセット部２５を取り外す。この際に、センサにより扉が開かれたことが検知されて、制御部２１に通知される。これにより、制御部２１が、メモリ２２に管理しているカセット部２５に関するＩＣカード１の有り高と筐体２０内におけるＩＣカード１の有り高とが不定となる。
【００３９】
この後、保守担当者が新規のカセット部２５を筐体２０内に取り付けるが、単純に取り付けただけでは古いカセット部２５を再度取り付けたものか、新しいカセットを取り付けたのかを制御部２１は判別できない。よって、この段階では、制御部２１は、カセット部２５内のＩＣカード１の枚数は不定であるものと判定する。
【００４０】
また、筐体２０内に残留しているＩＣカード１がある場合、保守担当者は、一旦手で搬送経路上のＩＣカード１が触れる状態になると抜き取りや追加等を行うことが可能であるため、制御部の監視下でのＩＣカード１の計数値が保証できなくなる。
このため筐体１内にＩＣカード１が残っていることが分ると、保守担当者は、一旦手動にて全て取り出す。これにより、搬送経路上のＩＣカード１の有り高は、クリアされる。
【００４１】
筐体２０内で搬送経路上からＩＣカード１がなくなったことを制御部２１が確認するためには、搬送経路上にＩＣカード１の全長より短いピッチで配置された媒体残留検知用のセンサを用いるか、一旦搬送を駆動することにより任意の位置に配置された媒体残留検知用のセンサが斜光されないことを確認することによって実現する。
【００４２】
カード回収庫３１内にＩＣカード１が存在する場合は、カセット部２５と同じく、新規に持参した空の回収庫に交換を行う。回収庫を取り外したことは、センサやスイッチ等の検知部２４により検知され、カセット部２５が取り外されたことが制御部２１に通知される。
【００４３】
この時点で、カセット部２５に関するＩＣカード１の有り高が不定となるため、筐体２０内のＩＣカード１の有り高も不定となる。この後に保守担当者が持参した新規のカード回収庫３１をセットすることにより、カード回収庫３１が交換されたと判断する。
【００４４】
しかしながら、カード回収庫３１を筐体２０に単純に取り付けただけでは古いカセット部２５を取り付けたカセットか、新しいカセット部２５を取り付けたのか筐体２０の制御部２１は判別できない。このためカード回収庫３１内を通過する光軸をもつ赤外線センサ等の検知部２４を１個もしくは複数配置することにより、カード回収庫３１内のＩＣカード１を検知し、カード回収庫３１内にＩＣカード１が無いことを確認すれば、カード回収庫３１が交換されたものと判定できる。
【００４５】
また、カード回収庫３１内にＩＣカード１が検知されずに、カード回収庫３１内にＩＣカード１が存在しなければ、カード回収庫３１内のＩＣカード１の有り高が「０」であることを制御部２１が検出及び判定することができる。
この時点で、筐体２０内部の交換作業自体は完了したという前提になり、保守担当者は、開放していた内部機構を筐体２０内へ収納し扉を閉める。扉の開閉検知やユニットの引き出しについては、それぞれセンサやスイッチ等の検知部２４により制御部２１によって監視されている。このため、許可されていない手順で筐体２０内のＩＣカード１を抜き取ろうとした場合は、制御部２１が検出する。
【００４６】
カセット部２５の交換を行った段階では、筐体２０内の有り高は、確定されていないので、制御部２１は、まずカセット部２５を除く搬送経路、カード回収庫３１等にＩＣカード１が残留していないことを検知部２４からの信号により確認する。カセット部２５を交換する前に搬送経路等にＩＣカード１が残留していた場合は、手で取り除いたものと判断する。
【００４７】
制御部２１は、ＩＣカード１が残留していることが検知された場合、警報等を発生して、保守担当者に再度扉を開かせ、残留していたＩＣカード１を無くすことでカセット部２５以外の機体内の有り高を確定させる。
【００４８】
このように人が手を加えた段階で、カセット部２５内の有り高は、制御部２１の監視下から外れるため、制御部２１は、カセット部２５の一番下のＩＣカード１を繰り出し、カード処理部２９へ搬送する。
【００４９】
カセット部２５から一番最初に繰り出される位置に配置されたＩＣカード１には、装填を行った担当者の情報や装填した枚数が記録されているので、この情報をカード処理部２９の磁気ヘッドや無線ＩＣカード読取部にて読み取る。ＩＣカード１から読み取った情報をカード処理部２９から制御部２１へ送信することにより、カセット部２５内の有り高を、制御部２１がメモリ２２に記憶し、再び監視下におくことができる。
【００５０】
この時点で機械内の有り高が確定したとして、運用管理センタへ送信する。
搬送部２６によってカード処理部２９の位置に搬送されたＩＣカード１は、ＩＣカード１の指定された情報が消去される。その後、搬送部２６によってカード保留庫へ搬送される。
【００５１】
カセット交換後、一枚目の発行用カードとして使用する。もしくはこのＩＣカード１は、情報記入専用カードとして利用してもよい。この場合は、情報を指定された手順で加工するかあるいは何も行わないまま、カード回収庫３１へ搬送する。これにより、カード回収庫３１の有り高が１枚増える。
【００５２】
以上の手順を行うことにより、筐体２０におけるＩＣカード１の有り高を保守担当者が媒体を触ることなく確定することを実現できる。
筐体２０からカセット部２５を取り外す場合は、以下の手順で行うことにより筐体２０内のＩＣカード１の有り高を管理できる。
【００５３】
カセット部２５に未だＩＣカード１が残留している状態でカセット部２５の交換を行う場合は、まずカセット部２５の内部に残留している未使用のＩＣカード１をカード回収庫３１へ回収するか、もしくはカセット部２５にＩＣカードが残留したままカセット部２５を回収するかを、その場か、あるいは事前に保守担当者が決定し、制御部２１は、保守担当者から入力された指示に従い未使用のＩＣカード１を移動もしくはそのままにする。
【００５４】
未使用のＩＣカード１をカード回収庫３１に回収した場合は、カセット部２５に未使用のＩＣカード１がまったく残らないため、運用管理センタにカセット部２５を返却した際に、カセット部２５の有り高確認を行う必要がなく、比較的取り扱いが容易である。
【００５５】
また、運用管理センタでは、カセット部２５へＩＣカード１をセットすることだけを独立して行えるため、より簡便な運用の仕組みを実現できる。
ＩＣカード１の回収が完了した段階で、筐体２０内のＩＣカード１の有り高はすべてカード回収庫３１内に集約される。
カセット部２５より一番最後に繰り出されたＩＣカード１は、一時保留庫にあり、カセット部２５へ再度回収することは困難である。通常はカード回収庫３１へ回収して有り高を確定するが、このカード発行装置は、保守担当者がカセット交換を行う選択を行った段階で、まず一時保留庫にあるＩＣカード１をカード処理部２９へ搬送する。
【００５６】
カード処理部２９へ移送されたＩＣカード１の磁気ストライプもしくはＩＣチップ内のメモリ、筐体２０内もしくは運用管理センタのホストコンピュータに保存してあるリジェクト枚数や機体情報（このカード発行装置の固有識別情報）を書き込む、あるいは、ＩＣカード１をプリンタ部２７へ移動し、ＩＣカード１の表面に印字する。印字内容としては、例えばＩＣカード１の表面の磁気ストライプもしくはＩＣチップ内のメモリに書き込んだ情報、あるいはそれに類するデータとする。
この手順によって、機体情報とカード回収庫３１内の収納枚数情報とを記録したＩＣカード１ができる。
【００５７】
このＩＣカード１を単純にカード回収庫３１へ収納することにより、カード回収庫３１内の有り高をカード回収庫３１毎に記録表示することが可能であるが、一旦、カード回収庫３１を開き、ＩＣカード１を取り出さない限りカード回収庫３１内のＩＣカード１の有り高を制御部２１は知ることはできない。
【００５８】
カード回収庫３１は、カード回収庫３１表面にＩＣカード１が収納できる回収部を設け、かつこの回収部の入口に内側にしか開かない扉を設け、かつＩＣカード１を挿入することで、この扉を開かなくするためのストッパ機構を併せ持つ。このストッパ機構は、カード回収庫３１の扉を開くことにより解除できる。また、カード回収庫３１の扉を開くことにより、回収部のＩＣカード１を容易に取り除ける。
【００５９】
カード回収庫３１の情報を記録したＩＣカード１は、搬送部２６によってカード回収庫３１の内部へ収納される。このカード回収庫３１の扉は内側にしか開かず、なおかつＩＣカード１を収納した時点でストッパ機構により回収部の扉がロックされ、扉を開くことができなくなるため、運用管理センタ以外でのＩＣカード１の取り出しができなくなる。
【００６０】
よって、カード回収庫３１内の実際の有り高と、ＩＣカード１に記録された有り高を一致させることができる。
カード回収庫３１及び使用済みのカセット部２５は、保守担当者により回収され、唯一それぞれの扉を開くことが可能な運用管理センタ宛に送付される。
運用管理センタには、各保守拠点や店舗より複数の使用済みカセット部２５とカード回収庫３１が返送されてくる。
交換時にカセット部２５から未使用のＩＣカード１をカード回収庫３１へ回収しない場合は、カード回収庫３１とカセット部２５を１個のケースに入れて処理を行うといった手順を行うことにより、有り高を完全に把握することができる。
【００６１】
カセット交換時に未使用のＩＣカード１をカード回収庫３１へ回収した状態で回収する場合には、カセット部２５はあくまでも空であり筐体２０内のＩＣカード１の有り高に関係しないため、未使用のＩＣカード１の装填のみを行う部署へまとめて空のカセット部２５を送付し、有り高調査等を行うことなく独立してＩＣカード１の再装填を行うことができるので効率的な運用が可能となる。
【００６２】
カード回収庫３１を回収した運用管理センタでは、それぞれのセンタのホストコンピュータに受信された機体情報と、それぞれのカード回収庫３１の回収部に保管されたＩＣカード１に記録されたデータとそのカード回収庫３１の実際のＩＣカード１の有り高をつき合わせることにより、未使用のＩＣカード１の紛失を防止し、セキュリティの保たれた運用を行うことができる。
【００６３】
また、カード回収庫３１に回収されたＩＣカード１の状態を確認することで、カード発行装置からのエラーログでは、判別できなかったそれぞれの機体の不具合等の調査を行うことができる。
また、運用管理センタでは、カード回収庫３１が複数保守拠点及び店舗等から送付されるため、外見上同一なカード回収庫３１が並んでしまい、カード回収庫３１識別及び管理が煩雑になるという問題が生じる。
【００６４】
そこで、この実施形態では、カード回収庫３１は、庫内の回収部にＩＣカード１を視認可能にセットすることで、複数の回収庫が雑然と並べられた中でも目視によって個々の判別が可能であり、利用者からの問い合わせ等で至急特定のカード回収庫３１を探す必要がある場合でも容易に探し出すことができる。
また、磁気的あるいは無線通信でＩＣチップに情報が記憶されている場合、ＩＣチップや磁気ストライプの読取装置を用いることで印刷では書ききれない、もしくはセキュリティ確保のため印刷を行いたくない情報を暗号化した状態で記録できるので、さらに詳細にかつセキュリティを確保した運用が可能となる。
【００６５】
以下、図４を参照して、店舗において、カード発行装置の扉が開放操作された場合の動作を説明する。
エラー発生時や保守作業の際には、筐体２０内部の搬送経路上にＩＣカード１が存在する状態で筐体２０内部が操作可能な状態になる場合が生じる。
【００６６】
カセット部２５やカード回収庫３１を取り外さなくても搬送経路上のＩＣカード１が複数ある等の異常状態が発生した場合、筐体２０内のＩＣカード１の有り高がずれる可能性がある。また、搬送経路上にＩＣカード１が詰まるようなエラー等では、係員の手操作により残留していたＩＣカード１を抜き取る必要があるため、従来は、筐体２０内におけるＩＣカード１の有り高を完全に把握することが困難であったが、このカード発行装置では、カセット部２５に装填されたＩＣカード１に、一意に排出順番が規定できるシリアル番号が記入（記録）されているので、例えばエラー発生時等に、搬送経路上やカセット部２５やカード回収庫３１等、内部のＩＣカード１に容易に触れることができない個所以外にあるＩＣカード１を抜き取ることで、機体内のＩＣカード１の有り高は、カセット部２５内の有り高と、カード回収庫３１内の有り高と、搬送経路から抜き取ったＩＣカード１の有り高との３つに分けられる。なお保留庫３２は、開放可能であり、保守の際は必ず保留庫３２からＩＣカード１を抜き取るものであり、搬送経路から抜き取ったＩＣカード１の有り高とされる。
【００６７】
搬送経路からＩＣカード１を抜き取った時点で、手元に残ったＩＣカード１以外のものは全て有り高が確定しているものの、複数枚のＩＣカード１を繰り出した場合等、カセット部２５内の有り高やカード回収庫３１内の有り高がずれている可能性がある。
【００６８】
そこで、このカード発行装置では、装置本体内において、何らかのエラーが発生し、扉が開かれたことがセンサ等の検知部２４で検知され、カセット部２５、カード回収庫３１等のユニットが引き出されると（図４のＳ２０１，Ｓ２０２、Ｓ２０３）、制御部２１は、筐体２０内の搬送経路上のセンサ、スイッチ等の検知部２４から検知情報を収集し、検知の有無に応じて筐体２０内にＩＣカード１が残留しているか否かを判定する（Ｓ２０３）。
【００６９】
ＩＣカード１が残留している場合、制御部２１は、その残留位置を示す表示を表示操作部２３の画面に表示するので、保守担当者等がその位置に残留しているＩＣカード１を除去する。すると、その位置の検知部２４から制御部２１に通知される検知情報が「検知なし」に変わるので、制御部２１は、ＩＣカード１が除去されたものと判定し、表示操作部２３の画面に「残留なし」を表示する。
この表示を確認した保守担当者は、カセット部２５、カード回収庫３１等のユニットを筐体２０内に収納し（Ｓ２０６）、扉を閉じる。すると、扉の位置に設置されている検知部２４により扉が閉じられことが検知されて（Ｓ２０７）、制御部２１へ通知される。
【００７０】
制御部２１は、メモリ２２や検知部２４の初期化を行い、初期化処理が完了した時点で、Ｓ２０３のときと同様にＩＣカード１の残留チェックを行い（Ｓ２０８）、残留カードが検知されると（Ｓ２０９のＹ）、上記Ｓ１０１のエラー処理から処理を再開する。
残留チェックの結果、残留カードが検知されなかった場合（Ｓ２０９のＮ）、制御部２１は、筐体２０内から抜き取って保守担当者の手元にあるＩＣカード１の挿入を促すメッセージを表示操作部２３に表示する。
つまり、ジャム処理が完了し筐体２０を閉じ、制御部２１は初期化が完了した時点で、カード挿入を促すメッセージを表示し、この表示により、保守担当者が搬送経路から抜き取ったＩＣカード１を１枚づつカード発行口２０ａより挿入することになる。
【００７１】
ＩＣカード１がカード発行口２０ａに挿入され、これが検知部２４により検知されると（Ｓ２１０）、制御部２１は、ＩＣカード１をカード処理部２９に位置へ搬送する。
カード処理部２９は、搬送されてきたＩＣカード１よりシリアル番号を読み取り（Ｓ２１１）、それを制御部２１へ通知する。
【００７２】
制御部２１は、通知されたＩＣカード１のシリアル番号を、メモリ２２に既に記憶されているシリアル番号と比較して、そのカードがジャムが発生したシリアル番号のＩＣカード１か否かを判定する（Ｓ２１２）。
この判定の結果、ジャムが発生したＩＣカード１ではない場合（Ｓ２１２のＮ）、制御部２１は、シリアル番号に応じた対処方法を促すメッセージを表示して、保守担当者に対処方法を選択させる。
一方、上記判定の結果、ジャムが発生したＩＣカード１である場合（Ｓ２１２のＹ）、制御部２１は、ＩＣカード１を顧客に返却するか否かを判定し（Ｓ２１３）、返却しないと判定した場合（Ｓ２１３のＮ）、そのＩＣカード１をカード回収庫３１へ搬送させて回収する（Ｓ２１４）。なおＩＣカード１を顧客に返却するか否かは、カード発行装置の動作モード（動作状態）に基づき判定する。例えばこの例のように、エラーによる保守モードや媒体補充モード等であれば、直ちに返却なしと判定する。また、動作モードが通常の動作モードで、顧客へ発行する情報をＩＣカード１に既に記憶してあり、カード発行直前に単に搬送経路上に詰まっただけのものであれば、制御部２１は、処理済みＩＣカード１と判定し、顧客へ返却する。
【００７３】
メモリ２２には、有り高管理テーブルが記憶されており、これは初期化処理でもクリアされないものである。有り高管理テーブルには、カード回収庫３１、カセット部２５等のユニットの欄、発行済みカードの欄、ジャムカードの欄など、各欄毎に格納されているＩＣカード１のシリアル番号と数量が記憶及び管理されている。
カセット部２５の有り高は、新規のカセット部２５をカード発行装置に装着して、カード発行装置の制御部２１が初期セットアップ動作を行った際に、一番下の状態記憶カードを繰り出してカード処理部２９が読み取った状態記憶情報から得て記憶する。
有り高管理テーブルの情報は、カセット部２５からＩＣカード１が繰り出されて、それが検知及び読み取られた時点で、カセット部２５の欄のシリアル番号が消去され、その計数値（格納数量）が−１減算される。
【００７４】
制御部２１は、ＩＣカード１から読み取ったシリアル番号をキーにして、有り高管理テーブルを検索したときに、カセット部２５の欄にそのシリアル番号が記憶されておらず、発行済みカードの欄とカード回収庫３１の欄に、既に記憶されているものでなければ、ジャムが発生したシリアル番号を持つＩＣカード１と判定し、それを有り高管理テーブルのジャムカードの欄に記憶する。なおジャムカードの欄は、履歴管理だけであり、有り高の管理の上では必ずしも必要ではない。
【００７５】
その後、制御部２１は、カード処理部２９によって読み取られたＩＣカード１をカード回収庫３１へ搬送させて回収する。カード回収庫３１へＩＣカード１が回収されたことがその位置の検知部２４により検知されると、制御部２１は、メモリ２２の有り高管理テーブルのカード回収庫３１の欄にシリアル番号を追記すると共に、その計数値を＋１加算する。
つまり、制御部２１は、ＩＣカード１から読み取ったシリアル番号をメモリ２２に記憶する際に、カード回収庫３１もしくはカセット部２５での有り高であるはずであったＩＣカード１のシリアル番号を読み取ったときには、あるべきはずの部位の有り高（計数値）を減数し、正しい状態へ有り高を合せる。
【００７６】
その後、手元のＩＣカード１が順にカード発行口２０ａに挿入されて、全てのＩＣカード１を回収し終えた時点で、保守担当者が表示操作部２３より、回収終了の入力操作を行うと（Ｓ２１５のＹ）、制御部２１は、カセット部２５よりＩＣカード１を１枚繰り出し（Ｓ２１６）、搬送経路を経てカード処理部２９の位置へ搬送し、カード処理部２９に対してシリアル番号を読み取らせ、カード処理部２９により読み取られたシリアル番号をチェックする（Ｓ２１７）。
【００７７】
このチェック処理では、カセット部２５に格納されているＩＣカード１は、すべてシリアル番号の順に繰り出されるようになっているため、次に繰り出し予定のＩＣカード１のシリアル番号は、一つ前に繰り出したシリアル番号から判定できるので、この繰り出し予定のシリアル番号と実際に繰り出されたＩＣカード１のシリアル番号とが一致しているかどうかを判定する。
【００７８】
つまり、制御部２１は今回カセット部２５から繰り出し読み取ったＩＣカード１のシリアル番号とカード回収庫３１へ既に回収したＩＣカード１のシリアル番号とをつき合わせて、シリアル番号の順序にズレがあるか否かをチェックする。
【００７９】
Ｓ２１７のチェックの結果、もしもシリアル番号にずれが生じていた場合（Ｓ２１７のＹ）、筐体２０内にＩＣカード１が残留しているか、カセット部２５内の装填が誤っているということになるため、制御部２１は、カードずれによる異常を表示操作部２３および警報音により報知する（Ｓ２１９）。
【００８０】
この報知により、保守担当者は、ＩＣカード１の有り高のずれが発生したことにより、以降、調査等の適切な対応を取ることになる。
また、上記チェックの結果、シリアル番号の順序がずれていない場合（Ｓ２１７のＮ）、該当シリアル番号を消去し（Ｓ２２０）、ＩＣカードを待機位置へ搬送し（Ｓ２２１）、受け入れ待ち状態とする（Ｓ２２２）。以上により、カード発行装置内のＩＣカード１の有り高を保証することができる。
【００８１】
このようにこの実施形態のカード発行装置によれば、未発行のＩＣカード１が格納されたカセット部２５の有り高と、回収済みのＩＣカード１が収容されたカード回収庫３１の有り高とを管理し、さらに筐体２０を開放したときには、筐体２０から取り出しＩＣカード１を再送入させてシリアル番号を読み取りカード回収庫３１へ搬送及び回収することで、筐体２０のＩＣカード１の有り高についても管理することで、カセット部２５の交換やカード回収庫３１の交換等の作業を、セキュリティを失うことなく外部業者へ委託するなど、効率のよい運用を行うことができる。
また、カード回収庫３１の表面回収部に回収庫内の有り高や機体情報、回収日時等の詳細情報を付加し、カード回収庫３１を回収したときに内部のＩＣカード１の情報を読取れるようにしたので、カード回収庫３１内の情報を回収庫の扉を開くことなく調べることができ、さまざまな地点のカード回収庫３１を運用管理センタへ集結した後、カード回収庫３１の扉を開くことなく特定のものを見つけることができる等、効率のよい運用を実現できる。
この結果、カード発行装置内のＩＣカード１の有り高だけでなく、運用管理センタにおけるカード回収庫３１内のＩＣカード１の所在についても管理することができる。
なお、上記実施形態では、カード状記憶媒体として主にＩＣカードについて説明したが、磁気カード、光記憶カード等であってもよい。
【図面の簡単な説明】
【００８２】
【図１】本発明に係る一つの実施の形態のカード発行装置の構成を示す側面図。
【図２】図１のカード発行装置の制御系の構成を示す図。
【図３】このカード発行装置のカードセットの手順を示すフローチャート。
【図４】図１のカード発行装置のエラー処理動作を示すフローチャート。
【符号の説明】
【００８３】
１…ＩＣカード、２０ａ…       カード発行口、２０…筐体、２１…制御部、２２…メモリ、２３…表示操作部、２４…検知部、２５…カセット部、２５ａ…繰り出しローラ、２６…搬送部、２７…プリンタ部、２８…通信部、２９…カード処理部、３０…振分部、３１…カード回収庫、３２…保留庫。
【図１】
2005339407.tif 000003
【図２】
2005339407.tif 000004
【図３】
2005339407.tif 000005
【図４】
2005339407.tif 000006